【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
乗りかごに設置されているかご内案内装置、乗場に設置されている乗場案内装置、並びに、前記かご内案内装置及び前記乗場案内装置の表示を制御する制御装置を備えるエレベータシステムであって、
前記かご内案内装置は、
前記乗りかご内の様子を撮像することで、かご内画像の画像データを生成するかご内撮像部と、
前記かご内画像の画像データを前記制御装置に送信するかご内データ送受信部と、を備え、
前記制御装置は、
前記かご内画像の画像データを受信する制御装置データ送受信部と、
前記乗りかご内が混雑していると判断した場合に、前記制御装置データ送受信部に、前記かご内画像の画像データ、又は、前記かご内画像の画像データに基づいて生成された仮想的な画像の画像データを、乗場用表示画像の画像データとして前記乗場案内装置へと送信させるデータ制御部と、を備え、
前記乗場案内装置は、
前記乗場用表示画像の画像データを受信する乗場データ送受信部と、
前記乗場データ送受信部で受信された前記乗場用表示画像の画像データに基づいて表示を行う乗場表示部と、を備えること
を特徴とするエレベータシステム。
【請求項２】
前記データ制御部は、前記制御装置データ送受信部で受信された前記かご内画像の画像データに基づいて、前記乗りかご内が混雑しているか否かを判断すること
を特徴とする請求項１に記載のエレベータシステム。
【請求項３】
前記かご内案内装置は、前記乗りかご内の混雑度を計測するかご内混雑度計測部をさらに備え、
前記データ制御部は、前記かご内混雑度計測部での計測結果に基づいて、前記乗りかご内が混雑しているか否かを判断すること
を特徴とする請求項１に記載のエレベータシステム。
【請求項４】
前記乗場案内装置は、前記乗りかごを呼び出す入力を受け付ける乗場操作部をさらに備え、
前記データ制御部は、前記乗場操作部が前記乗りかごを呼び出す入力を受けた後に、前記乗りかご内が混雑しているか否かを判断すること
を特徴とする請求項１から３の何れか一項に記載のエレベータシステム。
【請求項５】
前記乗場操作部は、行先階を指示する入力を、前記乗りかごを呼び出す入力として受け付けること
を特徴とする請求項４に記載のエレベータシステム。
【請求項６】
前記乗場操作部は、前記乗りかごを呼び出す入力を受けた後に、前記乗りかごに乗り込む人数の入力を受け付け、
前記データ制御部は、前記乗場操作部に入力された人数を含めて、前記乗りかご内が混雑しているか否かを判断すること
を特徴とする請求項４又は５に記載のエレベータシステム。
【請求項７】
前記乗場操作部は、前記乗りかごを呼び出す入力を受けた後に、前記乗りかごを呼び出す入力をキャンセルする入力を受け付けること
を特徴とする請求項４から６の何れか一項に記載のエレベータシステム。
【請求項８】
前記乗場案内装置は、前記乗場案内装置を操作可能な距離に近づいた人間の所在を検知するセンサをさらに備え、
前記データ制御部は、前記センサが人間の所在を検知した後に、前記乗りかご内が混雑しているか否かを判断すること
を特徴とする請求項１から７の何れか一項に記載のエレベータシステム。
【請求項９】
前記データ制御部は、前記制御装置データ送受信部で受信された前記かご内画像の画像データから人物領域を検出し、当該検出された人物領域に別の画像を合成することにより前記仮想的な画像の画像データを生成すること
を特徴とする請求項１から８の何れか一項に記載のエレベータシステム。
【請求項１０】
前記データ制御部は、前記制御装置データ送受信部で受信された前記かご内画像の画像データから人物の服領域を検出するとともに、当該検出された服領域の色及び柄を検出し、当該検出された色及び柄の服を表す別の画像を、前記検出された服領域に合成すること
を特徴とする請求項９に記載のエレベータシステム。
【請求項１１】
複数の乗りかごの各々に１つずつ設置されている複数のかご内案内装置、乗場に設置されている乗場案内装置、並びに、前記複数のかご内案内装置及び前記乗場案内装置の表示を制御する制御装置を備えるエレベータシステムであって、
前記複数のかご内案内装置の各々は、
前記乗りかご内の様子を撮像することで、かご内画像の画像データを生成するかご内撮像部と、
前記かご内画像の画像データを前記制御装置に送信するかご内データ送受信部と、を備え、
前記制御装置は、
前記かご内画像の画像データを受信する制御装置データ送受信部と、
前記複数の乗りかごの内、前記乗場に次に到着する一の乗りかごが混雑していると判断した場合に、前記制御装置データ送受信部に、前記一の乗りかごに設置されている一のかご内案内装置から送信された前記かご内画像の画像データ、又は、前記一のかご内案内装置から送信された前記かご内画像の画像データに基づいて生成された仮想的な画像の画像データを、乗場用表示画像の画像データとして前記乗場案内装置へと送信させるデータ制御部と、を備え、
前記乗場案内装置は、
前記乗場用表示画像の画像データを受信する乗場データ送受信部と、
前記乗場データ送受信部で受信された前記乗場用表示画像の画像データに基づいて表示を行う乗場表示部と、を備えること
を特徴とするエレベータシステム。
【請求項１２】
複数の乗りかごの各々に１つずつ設置されている複数のかご内案内装置、乗場に設置されている乗場案内装置、並びに、前記複数のかご内案内装置及び前記乗場案内装置の表示を制御する制御装置を備えるエレベータシステムであって、
前記複数のかご内案内装置の各々は、
前記乗りかご内の様子を撮像することで、かご内画像の画像データを生成するかご内撮像部と、
前記かご内画像の画像データを前記制御装置に送信するかご内データ送受信部と、を備え、
前記乗場案内装置は、前記複数の乗りかごの内、様子を確認する一の乗りかごを指定する入力を受け付ける乗場操作部を備え、
前記制御装置は、
前記かご内画像の画像データを受信する制御装置データ送受信部と、
前記制御装置データ送受信部に、前記一の乗りかごに設置されている一のかご内案内装置から送信された前記かご内画像の画像データ、又は、当該一のかご内案内装置から送信された前記かご内画像の画像データに基づいて生成された仮想的な画像の画像データを、乗場用表示画像の画像データとして前記乗場案内装置へと送信させるデータ制御部と、を備え、
前記乗場案内装置は、さらに、
前記乗場用表示画像の画像データを受信する乗場データ送受信部と、
前記乗場データ送受信部で受信された前記乗場用表示画像の画像データに基づいて表示を行う乗場表示部と、を備えること
を特徴とするエレベータシステム。
【請求項１３】
前記乗場操作部は、前記複数の乗りかごの中から、呼び出しを行う乗りかごを選択する入力を受け付けること
を特徴とする請求項１２に記載のエレベータシステム。
【請求項１４】
前記乗場操作部は、前記呼び出しを行う乗りかごを選択する入力を受け付けた後に、前記呼び出しを行う乗りかごを選択する入力をキャンセルする入力を受け付けること
を特徴とする請求項１３に記載のエレベータシステム。
【請求項１５】
前記データ制御部は、前記一のかご内案内装置から送信された前記かご内画像の画像データから人物領域を検出し、当該検出された人物領域に別の画像を合成することにより前記仮想的な画像の画像データを生成すること
を特徴とする請求項１２から１４の何れか一項に記載のエレベータシステム。
【請求項１６】
前記データ制御部は、前記一のかご内案内装置から送信された前記かご内画像の画像データから人物の服領域を検出するとともに、当該検出された服領域の色及び柄を検出し、当該検出された色及び柄の服を表す別の画像を、前記検出された服領域に合成すること
を特徴とする請求項１５に記載のエレベータシステム。
【請求項１７】
乗りかごに設置されているかご内案内装置、複数の乗場の各々に１つずつ設置されている複数の乗場案内装置、並びに、前記かご内案内装置及び前記複数の乗場案内装置の表示を制御する制御装置を備えるエレベータシステムであって、
前記複数の乗場案内装置の各々は、
自装置が設置されている乗場の様子を撮像することで、乗場画像の画像データを生成する乗場撮像部と、
前記乗場画像の画像データを前記制御装置に送信する乗場データ送受信部と、を備え、
前記かご内案内装置は、行先階の入力を受け付けるかご内操作部を備え、
前記制御装置は、
前記乗場画像の画像データを受信する制御装置データ送受信部と、
前記かご内操作部で入力された行先階の乗場が混雑していると判断した場合に、前記制御装置データ送受信部に、前記かご内操作部で入力された行先階の乗場に設置されている一の乗場案内装置から送信された前記乗場画像の画像データ、又は、当該一の乗場案内装置から送信された前記乗場画像の画像データに基づいて生成された仮想的な画像の画像データを、かご内用表示画像の画像データとして前記かご内案内装置へと送信させるデータ制御部と、を備え、
前記かご内案内装置は、さらに、
前記かご内用表示画像の画像データを受信するかご内データ送受信部と、
前記かご内データ送受信部で受信された前記かご内用表示画像の画像データに基づいて表示を行うかご内表示部と、を備えること
を特徴とするエレベータシステム。
【請求項１８】
前記データ制御部は、前記制御装置データ送受信部で受信された前記乗場画像の画像データに基づいて、前記かご内操作部で入力された行先階の乗場が混雑しているか否かを判断すること
を特徴とする請求項１７に記載のエレベータシステム。
【請求項１９】
前記乗場案内装置は、前記乗場の混雑度を計測する乗場混雑度計測部をさらに備え、
前記データ制御部は、前記乗場混雑度計測部での計測結果に基づいて、前記かご内操作部で入力された行先階の乗場が混雑しているか否かを判断すること
を特徴とする請求項１７に記載のエレベータシステム。
【請求項２０】
前記かご内操作部は、前記行先階の入力を受けた後に、前記乗りかごから降りる人数の入力を受け付け、
前記データ制御部は、前記かご内操作部に入力された人数を含めて、前記かご内操作部で入力された行先階の乗場が混雑しているか否かを判断すること
を特徴とする請求項１７から１９の何れか一項に記載のエレベータシステム。
【請求項２１】
前記かご内操作部は、前記行先階の入力を受けた後に、前記行先階の入力をキャンセルする入力を受け付けること
を特徴とする請求項１７から２０の何れか一項に記載のエレベータシステム。
【請求項２２】
前記データ制御部は、前記制御装置データ送受信部で受信された前記乗場画像の画像データから人物領域を検出し、当該検出された人物領域に別の画像を合成することにより前記仮想的な画像の画像データを生成すること
を特徴とする請求項１７から２１の何れか一項に記載のエレベータシステム。
【請求項２３】
前記データ制御部は、前記制御装置データ送受信部で受信された前記乗場画像の画像データから人物の服領域を検出するとともに、当該検出された服領域の色及び柄を検出し、当該検出された色及び柄の服を表す別の画像を、前記検出された服領域に合成すること
を特徴とする請求項２２に記載のエレベータシステム。
【手続補正２】
【補正対象書類名】明細書
【補正対象項目名】０１２９
【補正方法】変更
【補正の内容】
【０１２９】
乗場案内装置２７０は、乗場操作部１７１と、乗場撮像部１７２と、乗場表示部１７３と、乗場制御部２７４と、乗場データ送受信部１７５と、乗場混雑度計測部２７６とを備える。
実施の形態２における乗場案内装置２７０は、乗場制御部２７４及び乗場混雑度計測部２７６を除いて、実施の形態１における乗場案内装置１７０と同様に構成されている。